【手続補正書】
【提出日】平成17年3月17日(2005.3.17)
【手続補正１】
【補正対象書類名】明細書
【補正対象項目名】特許請求の範囲
【補正方法】変更
【補正の内容】
【特許請求の範囲】
【請求項１】
眼検査のための装置であって、
患者の目にパターンを表示する出力ユニットと、
患者による表面上の位置の指示を受取る入力装置と、
約３００ミリ秒までの個々の短い持続時間の間に前記出力ユニットを介して複数のパターンを表示し、前記の表示されたパターンのうちの少なくとも一つについて、前記パターン内において前記患者が視覚障害を知覚する一つ又はそれ以上の位置の指示を受取り、眼病の情報を提供するために前記パターン内の前記指示された位置を分析するようになされたプロセッサと、
を備える装置。
【請求項２】
請求項１記載の装置であって、前記プロセッサが、知覚された障害の指示された位置のそれぞれについて、前記検査パターンの位置と、前記パターン内の前記指示された知覚された障害の位置とを蓄積させるようになされた装置。
【請求項３】
請求項１又は２に記載された装置であって、前記出力ユニットがコンピュータのディスプレイを含む装置。
【請求項４】
請求項１〜３のいずれかに記載された装置であって、前記パターンのそれぞれが複数のセグメントを含む装置。
【請求項５】
請求項１〜４のいずれかに記載された装置であって、前記プロセッサが、少なくとも二つの異なる位置に前記パターンを表示するようになされた装置。
【請求項６】
請求項１〜５のいずれかに記載された装置であって、前記パターンのうちの少なくとも幾つかが人工的な視覚的ゆがみを伴って表示される装置。
【請求項７】
請求項６記載の装置であって、前記プロセッサが、前記表示されたパターンの前記人工的な視覚的ゆがみと、それらのパターンに関する前記患者による知覚された視覚障害の位置の指示との相関の度合いを決定するようになされた装置。
【請求項８】
請求項６記載の装置であって、人工的な視覚的ゆがみを有する前記少なくとも一つのパターンが、網膜の病質又は眼病を持つ人により知覚される参照パターンをシミュレートするよう前記参照パターンを修正することにより得られる装置。
【請求項９】
請求項１〜８のいずれかに記載された装置であって、前記パターンの少なくとも幾つかが人工的な視覚的ゆがみなしで表示される装置。
【請求項１０】
請求項１〜９のいずれかに記載された装置であって、前記プロセッサが、前記分析において、前記指示された位置が近接性の基準を満たす少なくとも二つの指示された位置を含むか否かを決定するようになされた装置。
【請求項１１】
請求項１〜１０のいずれかに記載された装置であって、前記分析が、網膜の疾病の情報を提供するための分析を含む装置。
【請求項１２】
請求項１〜１１のいずれかに記載された装置であって、検査結果を蓄積するメモリを備え、前記プロセッサが、前記患者の検査結果の履歴に基づくレポートを提供するようになされた装置。
【請求項１３】
請求項１〜１２のいずれかに記載された装置であって、前記パターンの表示が、少なくとも４０個のパターンの表示を含む装置。
【請求項１４】
請求項１〜１３のいずれかに記載された装置であって、前記パターン内の前記一つ又はそれ以上の位置の指示の受取りが、前記パターンの部分のみの指示の受取りを含む装置。
【請求項１５】
請求項１〜１４のいずれかに記載された装置であって、前記パターンの表示が、無作為に又は擬似的に無作為に選択された位置における表示を含む方法。
【請求項１６】
眼検査のための装置であって、
パターンを表示する出力ユニットと、
患者の指示を受取る入力装置と、
人工的な視覚的ゆがみを有する少なくとも一つのパターンを前記出力ユニットを介して表示し、前記表示されたパターンの患者の知覚において知覚された視覚障害の一つ又はそれ以上の指示を受取り、前記人工的な視覚的ゆがみと前記患者の指示との相関の度合いを決定し、前記決定された相関の度合いに基づいて前記患者の眼病の情報を提供するようになされたプロセッサと、
を備える装置。
【請求項１７】
請求項１６記載の装置であって、前記プロセッサが、前記決定された相関の度合いに応じて前記患者の指示の信頼性を評価するようになされた装置。
【請求項１８】
請求項１６記載の装置であって、前記プロセッサが、前記人工的な視覚的ゆがみから所与の距離内にある位置の指示を識別するようになされた装置。
【請求項１９】
眼検査のための装置であって、
パターンを表示する出力ユニットと、
患者の指示を受取る入力装置と、
被験者に参照パターンを知らせ、前記参照パターンと比べて初めから人工的な視覚的ゆがみを有する少なくとも一つのパターンを前記出力ユニットを介して表示し、前記参照パターンと比較して前記表示されたパターンの患者の知覚において知覚された視覚障害の一つ又はそれ以上の指示を前記入力装置を介して受取り、前記一つ又はそれ以上の指示に基づいて前記患者の眼病の情報を提供するようになされたプロセッサと、
を備える装置。
【請求項２０】
請求項１９記載の装置であって、前記参照パターンが分割された直線である装置。
【請求項２１】
請求項１９記載の装置であって、前記参照パターンと比べて人工的な視覚的ゆがみを有する前記少なくとも一つのパターンが、網膜の病質又は眼病を持つ人により知覚される前記参照パターンをシミュレートするよう前記参照パターンを修正することにより得られる装置。
【請求項２２】
請求項１９記載の装置であって、前記参照パターンと比べて人工的な視覚的ゆがみを有する前記少なくとも一つのパターンが、前記参照パターンの一つ又はそれ以上の構成要素を置き換えることにより得られる装置。
【請求項２３】
請求項１９記載の装置であって、前記参照パターンと比べて人工的な視覚的ゆがみを有する前記少なくとも一つのパターンが、前記参照パターンの構成要素をかすませ、又は構成要素の視覚的特性を変更することにより得られる装置。
【請求項２４】
請求項１９記載の装置であって、前記プロセッサが、複数のパターンを表示し、複数の前記表示されたパターンについて受取られた指示に基づいて前記眼病の情報を提供するようになされており、前記表示されたパターンの少なくとも一つが前記参照パターンと同一である装置。
【請求項２５】
請求項２４記載の装置であって、前記プロセッサが、人工的な視覚的ゆがみを有する前記パターンを無作為に選択し、又は前記パターンにおける前記人工的な視覚的ゆがみの位置を無作為に選択するようになされた装置。
【請求項２６】
請求項１６〜２５のいずれかに記載された装置であって、前記プロセッサが、約３００ミリ秒までの短い持続時間の間に前記一つ又はそれ以上のパターンを表示するようになされた装置。
【請求項２７】
眼検査のための装置であって、
パターンを表示する出力ユニットと、
患者の指示を受取る入力装置と、
前記出力ユニットを介して複数のパターンを表示し、前記パターン内の知覚された視覚障害の位置の指示を受取り、前記指示された位置の二つ又はそれ以上が近接性の基準を満たすか否かを決定し、前記近接性の基準が満たされていることに応じて眼病の情報を提供するようになされたプロセッサと、
を備える装置。
【請求項２８】
請求項２７記載の装置であって、前記プロセッサが、前記二つ又はそれ以上の指示された位置が所定の距離より近いか否かを決定するようになされた装置。
【請求項２９】
請求項２７記載の装置であって、前記近接性の基準が満たされている場合に、前記プロセッサが網膜の病質の存在を示す装置。
【請求項３０】
請求項２７〜３０のいずれかに記載された装置であって、前記プロセッサが、異なる位置における複数のパターンの表示に応じた前記指示を受取るようになされた装置。
【請求項３１】
眼検査のための装置であって、
パターンを表示する出力ユニットと、
患者の指示を受取る入力装置と、
第一のパターンを第一の位置に表示し、個人が前記第一のパターンを凝視したことを決定し、前記個人が凝視すると前記第一のパターンを隠し、前記第一のパターンを隠してから２００ミリ秒以内に前記第一のパターンと同様の第二のパターンを前記第一の位置と異なる第二の位置に表示し、前記パターン内の知覚された移動の一つ又はそれ以上の指示を受取るようになされたプロセッサと、
【請求項３２】
請求項３１記載の装置であって、前記プロセッサが、前記第二のパターンを前記凝視の直後に表示するようになされた装置。
【請求項３３】
請求項１〜３２のいずれかに記載された装置であって、前記プロセッサが、同一の検査において水平及び垂直の両方のパターンを表示するようになされた装置。
【請求項３４】
請求項１〜３３のいずれかに記載された装置であって、前記プロセッサが、被験者それぞれの加齢性黄斑変性病の情報を提供するようになされた装置。